(57)【要約】繊維製品を購入する生活者及び該繊維製品の購入並びに該繊維製品の開発に関与することを望む繊維メーカに対してインターネット１を介してサービス提供サーバ２が各種情報を提供することにより、各種支援を行う商品購入・商品開発支援方法であって、前記生活者の情報端末３から模擬試着依頼が入力されたとき、２に有する合成画像演算手段は、２に有する背景データベース７からの背景情報と、ファッションデータベース６からのファッション情報と、生活者情報データベース５からの生活者情報を読み出し、これらの画像情報を合成して生活者模擬試着画像情報を情報端末３に出力する段階を備えた商品購入・商品開発支援方法。
2002027577.tif 000002
【特許請求の範囲】
【請求項１】
繊維製品を購入する生活者及び該繊維製品の購入並びに該繊維製品の開発に関与することを望む繊維メーカに対してネットワークを介してサービス提供サーバが各種情報を提供することにより、各種支援を行う商品購入・商品開発支援方法であって、
前記ネットワークに接続された生活者の情報端末から該生活者の情報端末を利用する生活者自身の少なくとも体形サイズ情報及び外観画像情報からなる生活者情報を前記サービス提供サーバに有する生活者情報データベースに保存するように促す段階と、
前記ネットワークに接続された繊維メーカの情報端末から自社商品のファッション情報を、前記サービス提供サーバに有するファッションデータベースに保存するように促す段階と、
前記生活者情報端末から前記サービス提供サーバに対して模擬試着依頼が入力されたとき、前記サービス提供サーバに有する合成画像演算手段は、該サービス提供サーバに有する背景データベースからの背景情報と、前記ファッションデータベースからのファッション情報と、前記生活者情報データベースからの生活者情報を読み出し、これらの画像情報を合成して生活者模擬試着画像情報を作成する段階と、
前記生活者情報端末に対して前記サービス提供サーバにより前記生活者模擬試着画像情報を送信する段階と、
前記ファッションデータベースにファッション情報が登録された繊維メーカから前記サービス提供サーバを保有しているサービス提供業者が情報掲載料の支払を受ける段階と、
を備えた商品購入・商品開発支援方法。
【請求項２】
前記生活者情報端末から該生活者情報端末を利用する生活者自身の興味や好みを生活者情報として前記サービス提供サーバに有する生活者情報データベースに保存するように促す段階と、
前記サービス提供サーバに有するトレンド分析手段は、前記生活者情報データベースからの生活者情報を読み出し、これに基づきファッション分野のトレンド分析を行い、この分析結果を前記サービス提供サーバに有する分析データベースに保存する段階と、
該分析データベースの分析データを前記繊維メーカ情報端末に送信する段階と、
前記繊維メーカから前記サービス提供サーバを保有しているサービス提供業者が分析情報提供料の支払を受ける段階と、
を備えた請求項１に記載の商品購入・商品開発支援方法。
【請求項３】
前記生活者模擬試着画像情報に基づいて生活者から、前記生活者情報端末により前記サービス提供サーバを保有しているサービス提供業者が商品の注文依頼を受ける段階と、
前記注文依頼に対応する前記繊維メーカ情報端末に対して商品の出荷指示を行う段階と、
前記注文依頼に対応する出荷指示を受けた繊維メーカから前記サービス提供サーバを保有しているサービス提供業者が仲介手数料の支払を受ける段階と、
を備えた請求項１に記載の商品購入・商品開発支援方法。
【請求項４】
繊維製品を購入する生活者及び該繊維製品の購入並びに該繊維製品の開発に関与することを望む繊維メーカに対してネットワークを介してサービス提供サーバが各種情報を提供することにより、各種支援を行う商品購入・商品開発支援方法であって、
前記ネットワークに接続された生活者の情報端末から入力される、生活者自身が作成した生活者ファッションデザインを前記サービス提供サーバに有する生活者ファッションデータベースに保存するように促す段階と、
前記サービス提供サーバに有するファッションデザイン処理手段により、前記生活者ファッションデータベースに保存された生活者ファッションデザインを、前記ネットワークに接続された繊維メーカの情報端末に送信して該生活者ファッションデザインを商品化するための繊維メーカに対して募集を行い、かつ該募集により応募のあった繊維メーカの中から商品化するための繊維メーカを決定し、該決定された繊維メーカからの商品化するために必要な型紙等の縫製情報を前記サービス提供サーバがこれに有するファッションデータベースに保存する段階と、
前記生活者情報端末から該生活者情報端末を利用する生活者自身の少なくとも体形サイズ情報及び外観画像情報からなる生活者情報を前記サービス提供サーバに有する生活者情報データベースに保存するように促す段階と、
前記生活者情報端末から前記サービス提供サーバに対して模擬試着依頼が入力されたとき、前記サービス提供サーバは該サービス提供サーバに有する背景データベースからの背景情報と、前記ファッションデータベースからのファッション情報と、前記生活者情報データベースからの生活者情報を読み出し、これらの画像情報を、前記サービス提供サーバに有する合成画像演算手段により合成して生活者模擬試着画像情報を作成する段階と、
前記生活者情報端末に対して前記サービス提供サーバにより前記生活者模擬試着画像情報を送信する段階と、
前記生活者ファッションデータベースに保存された生活者ファッションデザインが前記ファッションデータベースに保存されて前記生活者情報端末を介して一般に公開され、かつ該公開されたファッションが使用されたとき、繊維メーカが該生活者ファッションデザインを作成した生活者に対して直接又はサービス提供業者を介してデザイン使用料を支払う段階と、
を備えた商品購入・商品開発支援方法。
【請求項５】
前記生活者情報端末から該生活者情報端末を利用する生活者自身の興味や好みを生活者情報として前記サービス提供サーバに有する生活者情報データベースに保存するように促す段階と、
前記サービス提供サーバに有するトレンド分析手段は、前記生活者情報データベースからの生活者情報を読み出し、これに基づきファッション分野のトレンド分析を行い、この分析結果を前記サービス提供サーバに有する分析データベースに保存する段階と、
該分析データベースの分析データを前記繊維メーカ情報端末に送信する段階と、
前記繊維メーカから前記サービス提供サーバを保有しているサービス提供業者が分析情報提供料の支払を受ける段階と、
を備えた請求項４に記載の商品購入・商品開発支援方法。
【請求項６】
前記生活者模擬試着画像情報に基づいて生活者から、前記生活者情報端末により前記サービス提供サーバを保有しているサービス提供業者が商品の注文依頼を受ける段階と、
前記注文依頼に対応する前記繊維メーカ情報端末に対して商品の出荷指示を行う段階と、
前記注文依頼に対応する出荷指示を受けた繊維メーカから前記サービス提供サーバを保有しているサービス提供業者が仲介手数料の支払を受ける段階と、
を備えた請求項４に記載の商品購入・商品開発支援方法。
【請求項７】
繊維製品を購入する生活者及び該繊維製品の購入並びに該繊維製品の開発に関与することを望む繊維メーカに対してネットワークを介してサービス提供サーバが各種情報を提供することにより、各種支援を行う商品購入・商品開発支援装置であって、
前記サービス提供サーバは、生活者情報データベースと、ファッションデータベースと、背景データベースと、合成画像演算手段とを備え、
前記生活者情報データベースは前記生活者情報端末から入力される、該生活者情報端末を利用する生活者自身の少なくとも体形サイズ情報及び外観画像情報からなる生活者情報を保存するものであり、
前記サービス提供サーバは前記ネットワークに接続された繊維メーカの情報端末から入力される、自社商品のファッション情報を前記ファッションデータベースに保存するように促すものであり、
前記サービス提供サーバは前記背景データベースに背景情報を保存するものであり、
前記合成画像演算手段は前記生活者情報端末から模擬試着依頼を受けたとき、前記背景データベースからの背景情報と、前記ファッションデータベースからのファッション情報と、前記生活者情報データベースからの生活者情報を読み出し、これらの画像情報を合成して生活者模擬試着画像情報を作成するものである商品購入・商品開発支援装置。
【請求項８】
前記サービス提供サーバは、新たにトレンド分析手段と、分析データベースを備え、
前記サービス提供サーバは前記生活者情報データベースに前記生活者情報端末から該生活者情報端末を利用する生活者自身の体形サイズ情報及び外観画像情報からなる生活者情報を保存するように促す以外に、新たに該生活者情報端末を利用する生活者自身の興味や好みを生活者情報として保存するように促すものであり、
前記トレンド分析手段は、前記生活者情報データベースに保存された生活者情報のうち生活者自身の興味や好みを読み出し、これに基づきファッション分野のトレンド分析を行うものであり、該トレンド分析結果を前記分析データベースに保存すると共に、前記繊維メーカ情報端末に送信するものである請求項７に記載の商品購入・商品開発支援装置。
【請求項９】
前記サービス提供サーバは、新たに注文受付処理手段を備え、
該注文受付処理手段は、前記生活者情報端末から前記サービス提供サーバを保有しているサービス提供業者に対して商品の注文依頼を受け、該注文依頼に対応する前記繊維メーカ情報端末に対して商品の出荷指示を送信するものである請求項７に記載の商品購入・商品開発支援装置。
【請求項１０】
繊維製品を購入する生活者及び該繊維製品の購入並びに該繊維製品の開発に関与することを望む繊維メーカに対してネットワークを介してサービス提供サーバが各種情報を提供することにより、各種支援を行う商品購入・商品開発支援装置であって、
前記サービス提供サーバは生活者ファッションデータベースと、ファッションデザイン処理手段と、ファッションデータベースと、生活者情報データベースと、背景データベースと、合成画像演算手段と、注文受付処理手段とを備え、
前記サービス提供サーバは前記ネットワークに接続された生活者の情報端末から入力される、生活者自身が作成した生活者ファッションデザインを前記生活者ファッションデータベースに保存するように促すものであり、
前記ファッションデザイン処理手段は、前記生活者ファッションデータベースに保存された生活者ファッションデザインを、前記ネットワークに接続された繊維メーカの情報端末に送信して該生活者ファッションデザインを商品化するための繊維メーカに対して募集を行い、かつ該募集により応募のあった繊維メーカの中から商品化するための繊維メーカを決定し、該決定された繊維メーカからの商品化するために必要な型紙等の縫製情報をファッションデータベースに保存するように促すものであり、
前記生活者情報データベースは前記生活者情報端末から該生活者情報端末を利用する生活者自身の少なくとも体形サイズ情報及び外観画像情報からなる生活者情報を保存するように促すものであり、
前記合成画像演算手段は前記生活者情報端末から前記サービス提供サーバに対して模擬試着依頼が入力されたとき、前記背景データベースからの背景情報と、前記ファッションデータベースからのファッション情報と、前記生活者情報データベースからの生活者情報を読み出し、これらの画像情報を合成して生活者模擬試着画像情報を作成し、該生活者模擬試着画像情報を前記生活者情報端末に対して送信するものであり、
前記注文受付処理手段は前記生活者情報端末において前記生活者模擬試着画像情報を受信した後であって該生活者情報端末からの商品の注文を受付け、これを前記生活者ファッションデザインを商品化した繊維メーカ情報端末に対して該商品の出荷指示を行うものである商品購入・商品開発支援装置。
【請求項１１】
前記サービス提供サーバは、新たにトレンド分析手段と、分析データベースを備え、
前記サービス提供サーバは前記生活者情報データベースに前記生活者情報端末から該生活者情報端末を利用する生活者自身の体形サイズ情報及び外観画像情報からなる生活者情報を保存するように促す以外に、新たに該生活者情報端末を利用する生活者自身の興味や好みを生活者情報として保存するように促すものであり、
前記トレンド分析手段は、前記生活者情報データベースに保存された生活者情報のうち生活者自身の興味や好みを読み出し、これに基づきファッション分野のトレンド分析を行うものであり、該トレンド分析結果を前記分析データベースに保存すると共に、前記繊維メーカ情報端末に送信するものである請求項１０に記載の商品購入・商品開発支援装置。
【請求項１２】
前記サービス提供サーバは、新たに注文受付処理手段を備え、
該注文受付処理手段は、前記生活者情報端末から前記サービス提供サーバを保有しているサービス提供業者に対して商品の注文依頼を受け、該注文依頼に対応する前記繊維メーカ情報端末に対して商品の出荷指示を送信するものである請求項１０に記載の商品購入・商品開発支援装置。
【請求項１３】
食品を購入する生活者及び該食品の購入並びに該食品の開発に関与することを望む食品メーカに対してネットワークを介してサービス提供サーバが各種情報を提供することにより、各種支援を行う商品購入・商品開発支援方法であって、
前記サービス提供サーバは、これを保有するサービス業者が契約する栄養管理アドバイザが生活者個人の健康状態を含む食生活を調査した内容を、前記サービス提供サーバが有する生活者情報データベースに保存するように促す段階と、
前記サービス提供サーバに有する分析処理手段は前記生活者情報データベースに保存されている内容を分析して生活者のニーズにあった食品を製造・開発するための食品製造・開発情報を作成する段階と、
前記ネットワークに接続されている食品メーカの情報端末からの既存の食品リスト及び又は前記分析データベースに保存されている食品製造・開発情報に基づき新規に開発された新規の食品リストを、前記サービス提供サーバに有する食品データベースに保存するように促す段階と、
前記サービス提供サーバに有する献立作成手段は、前記生活者情報データベースと、あらゆる献立が保存されている献立データベースと、該献立に対応したレシピが保存されているレシピデータベースと、前記食品データベースに基づいて検索し、生活者個人毎の献立並びにこの献立に必要な食品及び該食品のレシピを、前記ネットワークに接続されている生活者の情報端末に与える段階と、
を具備した商品購入・商品開発支援方法。
【請求項１４】
前記生活者情報端末から、前記献立作成手段から得られる生活者個人に合った献立に必要な食品の注文・配送依頼を、前記サービス提供サーバが受けて前記食品メーカ情報端末に送信する段階と、
前記食品の注文・配送の依頼を受けた食品メーカ側で該依頼に対応する食品を、前記食品の注文・配送を依頼した生活者の指定する場所に配送する段階と、
を備えた請求項１３に記載の商品購入・商品開発支援方法。
【請求項１５】
前記献立作成手段から得られる生活者個人に合った献立を調理するための依頼を、前記生活者情報端末から受付ける段階と、前記サービス提供サーバが該献立を調理するための依頼を受付た後、該依頼を前記生活者側以外の前記ネットワークに接続された調理業者端末に送信し、これにより該当する調理業者が該献立を調理する段階と、
を備えた請求項１３に記載の商品購入・商品開発支援方法。
【請求項１６】
食品を購入する生活者及び該食品の購入並びに該食品の開発に関与することを望む食品メーカに対してネットワークを介してサービス提供サーバが各種情報を提供することにより、各種支援を行う商品購入・商品開発支援装置であって、
前記サービス提供サーバは、生活者情報データベースと、献立データベースと、レシピデータベースと、分析データベースと、食品データベースと、食生活調査結果入力手段と、分析処理手段と、献立作成手段とを備え、
前記食生活調査結果入力手段は前記サービス提供サーバを保有するサービス業者が契約する栄養管理アドバイザが生活者個人の健康状態を含む食生活を調査した内容を、前記生活者情報データベースに保存するように促すものであり、
前記分析処理手段は前記生活者情報データベースに保存されている内容を分析して生活者のニーズにあった食品を製造・開発するための食品製造・開発情報を作成するものであり、
前記分析処理手段は、これにより作成された食品製造・開発情報を前記分析データベースに保存するように促すものであって、該保存された食品製造・開発情報を前記ネットワークに接続された食品メーカの情報端末に送信するものであり、
前記食品メーカ情報端末からの既存の食品リスト及び又は前記分析データベースに保存されている食品製造・開発情報に基づき新規に開発された新規の食品リストを前記食品データベースに保存するように促すものであり、
前記献立データベースはあらゆる献立を保存したものであり、
前記レシピデータベースは前記献立毎のレシピを登録したものであり、
前記献立作成手段は、前記生活者情報データベースと、前記献立データベースと、前記レシピデータベースと、前記食品データベースに基づいて生活者個人毎の献立並びにこの献立に必要な食品及び該食品のレシピを、前記ネットワークに接続された生活者情報端末に与送信するものである商品購入・商品開発支援装置。
【請求項１７】
前記サービス提供サーバに有するものであって、前記生活者端末から得られる生活者個人毎の献立に必要な食品の注文・配送を、前記食品メーカ情報端末に対して指示する注文受付処理手段と、
を備えた請求項１６に記載の商品購入・商品開発支援装置。
【請求項１８】
前記サービス提供サーバに有するものであって、前記生活者端末から得られる生活者個人毎の献立を、前記ネットワークに接続された調理業者端末に与えて該献立の調理を行うための指示を出す注文受付処理手段と、
を備えた請求項１６に記載の商品購入・商品開発支援装置。
【請求項１９】
インテリア関連商品を購入する生活者及び該インテリア関連商品の購入並びに該インテリア関連商品の開発に関与することを望むインテリア関連商品メーカに対してネットワークを介してサービス提供サーバが各種情報を提供することにより、各種支援を行う商品購入・商品開発支援方法であって、
前記ネットワークに接続されたインテリア関連商品メーカの情報端末からの各インテリア関連商品メーカの商品情報を、前記サービス提供サーバに有する商品データベースに保存するように促す段階と、
前記ネットワークに接続された生活者の情報端末に対してインテリア関連商品の検索のための検索条件を入力するように促し、これによって該検索条件が入力されたとき、前記商品データベースに保存されている商品のうち該検索条件に合った商品を選定し、該選定した商品のイメージ情報を前記サービス提供サーバに有する個人商品データベースに保存するように促す段階と、
前記サービス提供サーバは前記生活者情報端末に対して該サービス提供サーバに有する住居情報データベースに住居に関するイメージ情報を保存するように促す段階と、
前記サービス提供サーバは前記生活者情報端末に対して該生活者情報端末から入力される個人住居情報をイメージ情報として前記サービス提供サーバに有する個人住居情報データベースに保存するように促す段階と、
前記個人商品データベースに保存されたイメージ情報と、前記個人住居情報データベースに保存されたイメージ情報とを前記サービス提供サーバに有する画像処理手段により、合成して生活者模擬使用画像情報を作成する段階と、
前記生活者情報端末に前記画像処理手段で合成された生活者模擬使用画像情報を送信する段階と、
を具備した商品購入・商品開発支援方法。
【請求項２０】
インテリア関連商品を購入する生活者及び該インテリア関連商品の購入並びに該インテリア関連商品の開発に関与することを望むインテリア関連商品メーカに対してネットワークを介してサービス提供サーバが各種情報を提供することにより、各種支援を行う商品購入・商品開発支援装置であって、
前記サービス提供サーバは、商品データベースと、商品検索手段と、個人商品データベースと、個人住居情報データベースと、画像処理手段を備え、
前記サービス提供サーバは、前記ネットワークに接続された複数のインテリア関連企業の情報端末からの各インテリア関連商品メーカの商品情報を、前記商品データベースに保存するように促すものであり、
前記商品検索手段は、前記ネットワークに接続された生活者の情報端末からインテリア関連商品の検索のための検索条件が入力されたとき、前記商品データベースから該検索条件に合った商品を選定し、該選定した商品のイメージ情報を前記個人商品データベースに保存するものであり、
前記サービス提供サーバは、前記生活者情報端末に対して個人住居情報をイメージ情報として前記個人住居情報データベースに保存するように促すものであり、
前記画像処理手段は、前記個人商品データベースに保存されたイメージ情報と、前記個人住居情報データベースに保存されたイメージ情報とを合成して生活者模擬使用画像情報を作成し、該作成された生活者模擬使用画像情報を前記生活者情報端末に送信する商品購入・商品開発支援装置。
【発明の詳細な説明】
技術分野
本発明は、生活者［メーカ例えば繊維メーカ、食品メーカ、インテリア関連商品メーカが作った商品を購入（消費）して生活している人］が、商品を購入する際の支援を行い、またメーカが商品を開発する際に支援を行う商品購入・商品開発支援方法及び商品購入・商品開発支援装置に関し、生活者の消費面から生活文化を向上させることが可能となる商品購入・商品開発支援方法及び商品購入・商品開発支援装置に関する。
背景技術
生活者の生活関連分野の産業構造は、２０世紀の大量生産、大量消費、大量廃棄の経済システムに支えられ成長してきた。この経済システムは、生活者の生活文化の向上を物質面の充実に因って実現することを目的とし、また、生活者も物不足の情況を克復するために、企業が生産した商品をただ購入する情況で育った。
しかし、現代の物余りの状況においては生活者（消費者）の商品に対する購入目的が物不足の解消から生活の質の向上に向けられてきたことで、これら生活者の消費行動の変化に対応できなくなり、消費不況の一因ともなっている。
以上述べたように、生活関達分野ではもはやこれまでの大量生産、大量消費、大量廃棄の経済システムでは成長できないことは明白であり、生活関連分野のメーカ（企業）が生活者の求める商品やサービスを提供して行くことで、生活関連分野のメーカは２１世紀に持続可能となると考えられる。
因って、生活関連分野のメーカが２１世紀に持続可能な組織体になるためには、これまでの大量生産、大量消費、大量廃棄の経済システムを改め、生活者が求める商品や情報やサービスを生活者が求める時に、生活者が求める場所へ求める量で提供する、「クイックレスポンス（即応性）重視の生活者サービス」の実現を、情報システムを活用して行なうことが必要である。
ここで、以上述べたことについて、具体的に繊維分野、食品分野、インテリア関連分野における現状を説明する。
＜繊維分野＞
下請けによる零細企業が繊維メーカの型紙を元に統一企画の商品を大量生産してきたが、この生産方法では、ファッションの分野では例えば欧米の先進ファション地域のトレンドに国内メーカが追随することで生活者のニーズに対応している。
＜食品分野＞
近年の安全思考に起因する自然食品へのニーズの拡大や、農作物や魚介類では生産者の顔が見える商品作りが生活者サイドの要求と成り、これらの生活者要求には自然農法や産直品の取り扱いで対応している。
＜インテリア関連分野＞
商品ラインや商品アイテムの拡大で多品種の商品群を用意して多様化する生活者ニーズに対応している。つまり、これらの生活文化関連産業では、多様化する生活者ニーズに、海外からの文化の輸入や安全面への配慮や多品種生産で対応してきた。
しかし、今後は更に生活文化面では生活者のニーズの多様化が予想され、生活者個人個人の生活スタイルに適合した企画、生産、流通への対応が要求されるが、この要求を満足するには生活文化関連分野の情報化無くしては実現不可能な情況にきている。
一方、生活文化関連分野での生活者サイドの人口構成の変化が今後大きな問題となってくる。つまり、これまでの大量生産、大量消費、大量廃棄に頼ってきた産業システムでは、少子高齢化社会の２１世紀には成長できないことは容易に想像でき、生活者サイドに立って企画、生産、流通の各段階で情報技術を活用した新しいシステムが求められている．
従って、以上述べたように生活文化関連分野では、情報技術を活用した新しいシステムを構築しない限り、２１世紀の少子高齢化社会では成長は非常に難しい状況にある。
例えば、生活者の多様化するニーズに答えるために、繊維分野ではファッションは海外のトレンドの輸入による追随で対応して、規格品の大量生産で対応している。
また、食品分野では生産地での生産方法の変更や流通経路を見直した産地直売で対応して、生活関連分野では多品種生産で対応してきたが、この様な既存の企画、生産、流通の見直しでは対応が限界点に達していることも事実であり、今日の消費不況の一因ともなり、多様化する生活者ニーズに応答するシステムが存在しない。
＜繊維分野＞
生活者のファッション感覚は今日の映像メディアの影響でかなりの多様化が見られるにも関わらず、既存の繊維関連メーカの企画は生活者のファッション感覚を取り入れることなく、依然として海外からのトレンドの輸入や一部の有名デザイナーの、デザインを採用して、この分野での硬直化を招いている。
＜食品分野＞
生活者の食品に対する健康面への配慮や安全性への配慮や少子高齢化社会で増加が予測されている一人暮らしの生活者への配慮が求められてきているが、これらは依然として生活者の自己管理に期待するところが大きく、生活者の食品への消費不安を招いている。
＜インテリア関連分野＞
インテリア関連分野では、生活者のニーズの多様化に製品のラインナップを多様化することで、結果として企業の製品ラインや製品アイテムが拡大して、商品管理が複雑となって企業と生活者の関係が希薄となって、生活者の商品の選択の幅を狭くしている。
本発明は、上記事情に基づいてなされたもので、その主たる目的は生活者の消費面から生活文化を向上させることが可能となる商品購入・商品開発支援方法及び商品購入・商品開発支援装置を提供することであり、またその従たる目的は生活者の要求に迅速に対応してクイックレスポンスを向上する商品購入・商品開発支援方法及び商品購入・商品開発支援装置を提供することである。
発明の開示
第１の発明は、繊維製品を購入する生活者及び該繊維製品の購入並びに該繊維製品の開発に関与することを望む繊維メーカに対してネットワークを介してサービス提供サーバが各種情報を提供することにより、各種支援を行う商品購入・商品開発支援方法であって、
前記ネットワークに接続された生活者の情報端末から該生活者の情報端末を利用する生活者自身の少なくとも体形サイズ情報及び外観画像情報からなる生活者情報を前記サービス提供サーバに有する生活者情報データベースに保存するように促す段階と、
前記ネットワークに接続された繊維メーカの情報端末から自社商品のファッション情報を、前記サービス提供サーバに有するファッションデータベースに保存するように促す段階と、
前記生活者情報端末から前記サービス提供サーバに対して模擬試着依頼が入力されたとき、前記サービス提供サーバに有する合成画像演算手段は、該サービス提供サーバに有する背景データベースからの背景情報と、前記ファッションデータベースからのファッション情報と、前記生活者情報データベースからの生活者情報を読み出し、これらの画像情報を合成して生活者模擬試着画像情報を作成する段階と、
前記生活者情報端末に対して前記サービス提供サーバにより前記生活者模擬試着画像情報を送信する段階と、
前記ファッションデータベースにファッション情報が登録された繊維メーカから前記サービス提供サーバを保有しているサービス提供業者が情報掲載料の支払を受ける段階と、
を備えた商品購入・商品開発支援方法である。
第２の発明は、繊維製品を購入する生活者及び該繊維製品の購入並びに該繊維製品の開発に関与することを望む繊維メーカに対してネットワークを介してサービス提供サーバが各種情報を提供することにより、各種支援を行う商品購入・商品開発支援方法であって、
前記ネットワークに接続された生活者の情報端末から入力される、生活者自身が作成した生活者ファッションデザインを前記サービス提供サーバに有する生活者ファッションデータベースに保存するように促す段階と、
前記サービス提供サーバに有するファッションデザイン処理手段により、前記生活者ファッションデータベースに保存された生活者ファッションデザインを、前記ネットワークに接続された繊維メーカの情報端末に送信して該生活者ファッションデザインを商品化するための繊維メーカに対して募集を行い、かつ該募集により応募のあった繊維メーカの中から商品化するための繊維メーカを決定し、該決定された繊維メーカからの商品化するために必要な型紙等の縫製情報を前記サービス提供サーバがこれに有するファッションデータベースに保存する段階と、
前記生活者情報端末から該生活者情報端末を利用する生活者自身の少なくとも体形サイズ情報及び外観画像情報からなる生活者情報を前記サービス提供サーバに有する生活者情報データベースに保存するように促す段階と、
前記生活者情報端末から前記サービス提供サーバに対して模擬試着依頼が入力されたとき、前記サービス提供サーバは該サービス提供サーバに有する背景データベースからの背景情報と、前記ファッションデータベースからのファッション情報と、前記生活者情報データベースからの生活者情報を読み出し、これらの画像情報を、前記サービス提供サーバに有する合成画像演算手段により合成して生活者模擬試着画像情報を作成する段階と、
前記生活者情報端末に対して前記サービス提供サーバにより前記生活者模擬試着画像情報を送信する段階と、
前記生活者ファッションデータベースに保存された生活者ファッションデザインが前記ファッションデータベースに保存されて前記生活者情報端末を介して一般に公開され、かつ該公開されたファッションが使用されたとき、繊維メーカが該生活者ファッションデザインを作成した生活者に対して直接又はサービス提供業者を介してデザイン使用料を支払う段階と、
を備えた商品購入・商品開発支援方法である。
第３の発明は、繊維製品を購入する生活者及び該繊維製品の購入並びに該繊維製品の開発に関与することを望む繊維メーカに対してネットワークを介してサービス提供サーバが各種情報を提供することにより、各種支援を行う商品購入・商品開発支援装置であって、
前記サービス提供サーバは、生活者情報データベースと、ファッションデータベースと、背景データベースと、合成画像演算手段とを備え、
前記生活者情報データベースは前記生活者情報端末から入力される、該生活者情報端末を利用する生活者自身の少なくとも体形サイズ情報及び外観画像情報からなる生活者情報を保存するものであり、
前記サービス提供サーバは前記ネットワークに接続された繊維メーカの情報端末から入力される、自社商品のファッション情報を前記ファッションデータベースに保存するように促すものであり、
前記サービス提供サーバは前記背景データベースに背景情報を保存するものであり、
前記合成画像演算手段は前記生活者情報端末から模擬試着依頼を受けたとき、前記背景データベースからの背景情報と、前記ファッションデータベースからのファッション情報と、前記生活者情報データベースからの生活者情報を読み出し、これらの画像情報を合成して生活者模擬試着画像情報を作成するものである商品購入・商品開発支援装置である。
第４の発明は、繊維製品を購入する生活者及び該繊維製品の購入並びに該繊維製品の開発に関与することを望む繊維メーカに対してネットワークを介してサービス提供サーバが各種情報を提供することにより、各種支援を行う商品購入・商品開発支援装置であって、
前記サービス提供サーバは生活者ファッションデータベースと、ファッションデザイン処理手段と、ファッションデータベースと、生活者情報データベースと、背景データベースと、合成画像演算手段と、注文受付処理手段とを備え、
前記サービス提供サーバは前記ネットワークに接続された生活者の情報端末から入力される、生活者自身が作成した生活者ファッションデザインを前記生活者ファッションデータベースに保存するように促すものであり、
前記ファッションデザイン処理手段は、前記生活者ファッションデータベースに保存された生活者ファッションデザインを、前記ネットワークに接続された繊維メーカの情報端末に送信して該生活者ファッションデザインを商品化するための繊維メーカに対して募集を行い、かつ該募集により応募のあった繊維メーカの中から商品化するための繊維メーカを決定し、該決定された繊維メーカからの商品化するために必要な型紙等の縫製情報をファッションデータベースに保存するように促すものであり、
前記生活者情報データベースは前記生活者情報端末から該生活者情報端末を利用する生活者自身の少なくとも体形サイズ情報及び外観画像情報からなる生活者情報を保存するように促すものであり、
前記合成画像演算手段は前記生活者情報端末から前記サービス提供サーバに対して模擬試着依頼が入力されたとき、前記背景データベースからの背景情報と、前記ファッションデータベースからのファッション情報と、前記生活者情報データベースからの生活者情報を読み出し、これらの画像情報を合成して生活者模擬試着画像情報を作成し、該生活者模擬試着画像情報を前記生活者情報端末に対して送信するものであり、
前記注文受付処理手段は前記生活者情報端末において前記生活者模擬試着画像情報を受信した後であって該生活者情報端末からの商品の注文を受付け、これを前記生活者ファッションデザインを商品化した繊維メーカ情報端末に対して該商品の出荷指示を行うものである商品購入・商品開発支援装置である。
第５の発明は、食品を購入する生活者及び該食品の購入並びに該食品の開発に関与することを望む食品メーカに対してネットワークを介してサービス提供サーバが各種情報を提供することにより、各種支援を行う商品購入・商品開発支援方法であって、
前記サービス提供サーバは、これを保有するサービス業者が契約する栄養管理アドバイザが生活者個人の健康状態を含む食生活を調査した内容を、前記サービス提供サーバが有する生活者情報データベースに保存するように促す段階と、
前記サービス提供サーバに有する分析処理手段は前記生活者情報データベースに保存されている内容を分析して生活者のニーズにあった食品を製造・開発するための食品製造・開発情報を作成する段階と、
前記ネットワークに接続されている食品メーカの情報端末からの既存の食品リスト及び又は前記分析データベースに保存されている食品製造・開発情報に基づき新規に開発された新規の食品リストを、前記サービス提供サーバに有する食品データベースに保存するように促す段階と、
前記サービス提供サーバに有する献立作成手段は、前記生活者情報データベースと、あらゆる献立が保存されている献立データベースと、該献立に対応したレシピが保存されているレシピデータベースと、前記食品データベースに基づいて検索し、生活者個人毎の献立並びにこの献立に必要な食品及び該食品のレシピを、前記ネットワークに接続されている生活者の情報端末に与える段階と、
を具備した商品購入・商品開発支援方法である。
第６の発明は、食品を購入する生活者及び該食品の購入並びに該食品の開発に関与することを望む食品メーカに対してネットワークを介してサービス提供サーバが各種情報を提供することにより、各種支援を行う商品購入・商品開発支援装置であって、
前記サービス提供サーバは、生活者情報データベースと、献立データベースと、レシピデータベースと、分析データベースと、食品データベースと、食生活調査結果入力手段と、分析処理手段と、献立作成手段とを備え、
前記食生活調査結果入力手段は前記サービス提供サーバを保有するサービス業者が契約する栄養管理アドバイザが生活者個人の健康状態を含む食生活を調査した内容を、前記生活者情報データベースに保存するように促すものであり、
前記分析処理手段は前記生活者情報データベースに保存されている内容を分析して生活者のニーズにあった食品を製造・開発するための食品製造・開発情報を作成するものであり、
前記分析処理手段は、これにより作成された食品製造・開発情報を前記分析データベースに保存するように促すものであって、該保存された食品製造・開発情報を前記ネットワークに接続された食品メーカの情報端末に送信するものであり、
前記食品メーカ情報端末からの既存の食品リスト及び又は前記分析データベースに保存されている食品製造・開発情報に基づき新規に開発された新規の食品リストを前記食品データベースに保存するように促すものであり、
前記献立データベースはあらゆる献立を保存したものであり、
前記レシピデータベースは前記献立毎のレシピを登録したものであり、
前記献立作成手段は、前記生活者情報データベースと、前記献立データベースと、前記レシピデータベースと、前記食品データベースに基づいて生活者個人毎の献立並びにこの献立に必要な食品及び該食品のレシピを、前記ネットワークに接続された生活者情報端末に与送信するものである商品購入・商品開発支援装置である。
第７の発明は、インテリア関連商品を購入する生活者及び該インテリア関連商品の購入並びに該インテリア関連商品の開発に関与することを望むインテリア関連商品メーカに対してネットワークを介してサービス提供サーバが各種情報を提供することにより、各種支援を行う商品購入・商品開発支援方法であって、
前記ネットワークに接続されたインテリア関連商品メーカの情報端末からの各インテリア関連商品メーカの商品情報を、前記サービス提供サーバに有する商品データベースに保存するように促す段階と、
前記ネットワークに接続された生活者の情報端末に対してインテリア関連商品の検索のための検索条件を入力するように促し、これによって該検索条件が入力されたとき、前記商品データベースに保存されている商品のうち該検索条件に合った商品を選定し、該選定した商品のイメージ情報を前記サービス提供サーバに有する個人商品データベースに保存するように促す段階と、
前記サービス提供サーバは前記生活者情報端末に対して該サービス提供サーバに有する住居情報データベースに住居に関するイメージ情報を保存するように促す段階と、
前記サービス提供サーバは前記生活者情報端末に対して該生活者情報端末から入力される個人住居情報をイメージ情報として前記サービス提供サーバに有する個人住居情報データベースに保存するように促す段階と、
前記個人商品データベースに保存されたイメージ情報と、前記個人住居情報データベースに保存されたイメージ情報とを前記サービス提供サーバに有する画像処理手段により、合成して生活者模擬使用画像情報を作成する段階と、
前記生活者情報端末に前記画像処理手段で合成された生活者模擬使用画像情報を送信する段階と、
を具備した商品購入・商品開発支援方法である。
第８の発明は、インテリア関連商品を購入する生活者及び該インテリア関連商品の購入並びに該インテリア関連商品の開発に関与することを望むインテリア関連商品メーカに対してネットワークを介してサービス提供サーバが各種情報を提供することにより、各種支援を行う商品購入・商品開発支援装置であって、
前記サービス提供サーバは、商品データベースと、商品検索手段と、個人商品データベースと、個人住居情報データベースと、画像処理手段を備え、
前記サービス提供サーバは、前記ネットワークに接続された複数のインテリア関連企業の情報端末からの各インテリア関連商品メーカの商品情報を、前記商品データベースに保存するように促すものであり、
前記商品検索手段は、前記ネットワークに接続された生活者の情報端末からインテリア関連商品の検索のための検索条件が入力されたとき、前記商品データベースから該検索条件に合った商品を選定し、該選定した商品のイメージ情報を前記個人商品データベースに保存するものであり、
前記サービス提供サーバは、前記生活者情報端末に対して個人住居情報をイメージ情報として前記個人住居情報データベースに保存するように促すものであり、
前記画像処理手段は、前記個人商品データベースに保存されたイメージ情報と、前記個人住居情報データベースに保存されたイメージ情報とを合成して生活者模擬使用画像情報を作成し、該作成された生活者模擬使用画像情報を前記生活者情報端末に送信する商品購入・商品開発支援装置である。
本発明によれば、生活者の消費面から生活文化を向上させることが可能となる商品購入・商品開発支援方法及び商品購入・商品開発支援装置を提供することができ、また生活者の要求に迅速に対応してクイックレスポンスを向上する商品購入・商品開発支援方法及び商品購入・商品開発支援装置を提供することができる。
発明を実施するための最良の形態
以下、図面を参照して本発明の実施形態を説明する。
第１図は、本発明の第１の実施形態に係る商品購入・商品開発支援方法が適用されるネットワークを用いた商品購入・商品開発支援装置が組込まれたネットワークシステムを示す模式図である。
ネットワークとしてのインターネット１に対して、商品購入・商品開発支援サービスを提供するサービス提供者が扱う商品購入・商品開発支援装置としてのサービス提供サーバ２が接続されている。このサービス提供サーバ２は、コンピュータ等の一種の情報処理端末で構成されており、インターネット１に対するサーバの機能を有している。
ここで、インターネット１は有線であっても無線であってもよく、デジタル通信が行えればよい。また、公衆回線を含む場合もある。
インターネット１には、サービス提供サーバ２の他に、繊維製品を購入する生活者の複数の情報端末（生活者情報端末）３と、該繊維製品の購入並びに該繊維製品の開発に関与することを望む繊維メーカの複数の情報端末（繊維メーカ情報端末）４が接続されている。
各生活者情報端末３及び繊維メーカ情報端末４は、インターネット１を介してサービス提供サーバ２のホームページに自由にアクセスできる閲覧ソフトであるブラウザが組込まれている。また、各生活者情報端末３及び繊維メーカ情報端末４は、電子メールの送受信機能を有している。
第２図は、サービス提供サーバ２の概略構成を示すブロック図であり、生活者情報データベース（生活者情報ＤＢ）５と、ファッションデータベース（ファッションＤＢ）６と、背景データベース（背景ＤＢ）７と、合成画像演算手段（試着処理画像合成手段）８と、後述するトレンド分析手段９と、分析データベース（分析ＤＢ）１０及び注文受付処理手段（第３図）１１を備えている。
サービス提供サーバ２は、生活者情報端末３に対して該生活者情報端末３から生活者の情報端末を利用する生活者自身の少なくとも体形サイズ情報及び外観画像情報例えば生活者の全体を示す写真や、更には生活者のファッションへの興味や好みからなる生活者情報５ａを、生活者情報ＤＢ５に保存するように促す。この場合の生活者情報ＤＢ５は生活者個人毎に割り当てられた領域に保存される。
サービス提供サーバ２は、繊維メーカ情報端末４に対して自社商品のファッション情報６ａを、ファッションＤＢ６に保存するように促す。この場合のファッションＤＢ６は、各メーカ毎に割り当てられた領域に保存される。
背景ＤＢ７は、山、海、町等の背景情報（風景情報）７ａを保存するものである。
合成画像演算手段８は、背景ＤＢ７からの背景情報７ａと、ファッションＤＢ６からのファッション情報６ａと、生活者情報ＤＢ５からの生活者情報５ａを読み出し、これらの画像情報を合成して生活者模擬試着画像情報８ａを作成するものである。
トレンド分析手段９は、生活者情報ＤＢ５に保存されている生活者情報のうちの生活者のファッションへの興味や好みからなる生活者情報５ａに基づきファッション分野のトレンド分析を行うものである。分析ＤＢ１０は、トレンド分析手段９のトレンド分析結果を保存するものである。
注文受付処理手段１１は、生活者が生活者模擬試着画像情報８ａを見て繊維メーカの繊維製品が気にいってその購入依頼を、生活者情報端末３から受付け、その注文を受付け、該注文に該当する繊維メーカの情報端末４に対して出荷指示を送信する（与える）ものである。
第３図は、このようなネットワークシステムに組込まれたサービス提供サーバ２が生活者及び繊維メーカに対して商品購入・商品開発に関する各種支援の手順を示すシーケンス図である。
まず、インターネット１に接続された生活者情報端末３から該生活者の情報端末３を利用する生活者自身の生活者情報５ａを、生活者情報ＤＢ５に保存する（Ｓ１）。
インターネット１に接続された繊維メーカ情報端末４から自社商品のファッション情報を、ファッションＤＢ６に保存する（Ｓ２）。
生活者情報端末３から生活者がサービス提供サーバ２に対して模擬試着依頼（Ｓ１２）を行うと（Ｓ４）、サービス提供サーバ２に有する合成画像演算手段８は、サービス提供サーバ２に有する背景ＤＢ７からの背景情報７ａと、ファッションＤＢ６からのファッション情報６ａと、生活者情報ＤＢ５からの生活者情報を読み出し、これらの画像情報を合成して生活者模擬試着画像情報を得る（Ｓ３）。
このようにサービス提供サーバ２により得られた生活者模擬試着画像情報（試着のイメージ情報）８ａは、インターネット１に接続された生活者情報端末３に送信される。
生活者が生活者模擬試着画像情報８ａを見て繊維メーカの繊維製品が気にいってその注文依頼（Ｓ１３）をサービス提供サーバ２に対して行うと（Ｓ１３）、注文受付処理手段１１は、その注文受付けて該当する繊維メーカの情報端末４に対して出荷指示を出す（Ｓ１０）。
繊維メーカ情報端末４に対して出荷指示を出した後、繊維メーカは該当する繊維製品を何らかの手法により、注文を行った生活者の所へ届けた後、該生活者は該納品された繊維製品の代金を、サービス会社経由で該当する繊維メーカに対して支払われ、また繊維製品の売れた繊維メーカは、サービス会社に対して仲介手数料の支払が行われる（Ｓ１１）。
一方、サービス提供サーバ２は、生活者情報ＤＢ５からの生活者情報を読み出し、これに基づきファッション分野のトレンド分析を行い（Ｓ６）、この分析結果を分析ＤＢ１０に保存される。この分析ＤＢ１０に保存された分析データは繊維メーカ情報端末４に出力され（Ｓ７）、繊維メーカは該分析データに基づき新繊維製品の開発に役立つ。このようなことから、繊維メーカはサービス提供サーバ２を保有しているサービス提供業者に分析情報提供料の支払を行う（Ｓ８）。
さらに、ファッションＤＢ６にファッション情報が登録された繊維メーカは、サービス提供サーバ２を保有しているサービス提供業者に情報掲載料の支払を行う（Ｓ５）。
以上述べた第１の実施形態によれば、以下のような作用効果が得られる。生活者が生活者情報端末３からファッションに関する個人情報、すなわち少なくとも体形サイズ情報及び外観画像情報、場合によっては繊維製品の興味や好みを含む生活者個人情報を、サービス提供サーバ２に入力することにより、サービス提供サーバ２において該生活者個人情報と、繊維メーカのファッション情報と、背景情報が合成された生活者模擬試着画像情報が、生活者情報端末３に出力される。この生活者模擬試着画像情報は、生活者が繊維メーカの繊維製品をいろんな場所で、いろいろな季節、いろんな時間帯に仮に試着したイメージ情報であるため、生活者はわざわざ繊維製品の売り場である商店にいかずに、自分が試着したイメージが分かるので、繊維製品を購入する際の支援が得られる。
この場合、繊維メーカのいろんな種類はもちろん、同じ種類でもデザインの異なる全て（ファッションＤＢに登録されているものの全部）の繊維製品を試着したイメージ情報が得られるので、生活者は好きな場所で、好きな時間帯で、生活者が希望する繊維製品の購入ができるので、非常に便利である。
生活者模擬試着画像情報が生活者情報端末３により与えられることで、仮に繊維製品をすぐに購入しなくても、以後に繊維製品を購入する際の参考にできるばかりでなく、自分に合った繊維製品を見つけるのに役立つ。
この結果、生活者に対して、必要なとき、必要な繊維製品を、必要な量、適正な価格で提供できるばかりでなく、繊維メーカに対しては生活者情報に基づいたトレンド分析結果が与えられることから、生活者のニーズに合った繊維製品の開発に役立つ。
次に、第４図及び第５図を参照して本発明の第２の実施形態について説明するが、前述の第１の実施形態では、ファッションＤＢ６には繊維メーカの繊維製品のファッション情報が保存されているが、ここでは概略繊維メーカのファッション情報を使用せず、生活者が作成したファッションのデザインに基づいている点のみが異なる。
以下、このことについて説明する。第４図は、サービス提供サーバ２の概略構成を示すブロック図であり、第２図と異なる点は生活者ファッションデータベース（生活者ファッションＤＢ）１５と、ファッションデザイン処理手段１６を新たに追加したものである。
生活者ファッションＤＢ１５は、生活者情報端末３から入力され、生活者自身が作成した生活者ファッションデザインを保存するものである。
ファッションデザイン処理手段１６は、生活者ファッションＤＢ１５に保存された生活者ファッションデザインを、繊維メーカ情報端末４に提供して該生活者ファッションデザインを商品化するための繊維メーカに対して募集行い、かつ該募集により応募のあった繊維メーカの中から商品化するための繊維メーカを決定し、該決定された前記商品化する繊維メーカからの商品化するために必要な型紙等の縫製情報をファッションＤＢ６Ａに保存するものである。
第５図は、このようなネットワークシステムに組込まれたサービス提供サーバ２が生活者及び繊維メーカに対して商品購入・商品開発に関する各種支援の手順を示すシーケンス図である。
まず、生活者情報端末３から入力される、生活者自身が作成した生活者ファッションデザインをサービス提供サーバ２に有する生活者ファッションＤＢ１５に保存する（Ｓ１５）。
次に、ファッションデザイン処理手段１６により、生活者ファッションＤＢ１５に保存された生活者ファッションデザインを、繊維メーカ情報端末４に提供して該生活者ファッションデザインを商品化するための繊維メーカに対して募集を行い（Ｓ１６）、かつ該募集により商品化の応募のあった（Ｓ１７）繊維メーカの中から商品化するための繊維メーカを決定し（Ｓ１８）、該決定された商品化する繊維メーカからの商品化するために必要な型紙等の縫製情報をサービス提供サーバ２に有するファッションＤＢ６Ａに保存する（Ｓ１９）。
これ以降の処理は前述の第１の実施形態とほぼ同様である。すなわち、生活者情報端末３から該生活者情報端末３を利用する生活者自身の少なくとも体形サイズ情報及び外観画像情報からなる生活者情報をサービス提供サーバ２に有する生活者情報ＤＢ５に保存する（Ｓ１）。
生活者情報端末３からサービス提供サーバ２に対して模擬試着依頼（Ｓ１２）が入力されたとき（Ｓ４）、サービス提供サーバ２は該サービス提供サーバ２に有する背景ＤＢ７からの背景情報７ａと、ファッションＤＢ６Ａからのファッション情報６ａと、生活者情報ＤＢ５からの生活者情報５ａを読み出し、これらの画像情報を、サービス提供サーバ２に有する合成画像演算手段８により合成して生活者模擬試着画像情報を得る（Ｓ３）。
このようにサービス提供サーバ２により得られた生活者模擬試着画像情報（試着のイメージ情報）８ａは、インターネット１に接続された生活者情報端末３に送信される。
生活者が生活者模擬試着画像情報８ａを見て繊維メーカの繊維製品が気にいってその注文依頼（Ｓ１３）をサービス提供サーバ２に対して行うと（Ｓ５）、注文受付処理手段１１は、その注文受付けて該当する繊維メーカの情報端末４に対して出荷指示を出す（Ｓ１０）。
繊維メーカ情報端末４に対して出荷指示を出した後、繊維メーカは該当する繊維製品を何らかの手法により、注文を行った生活者の所へ届けた後、該生活者は該納品された繊維製品の代金を、サービス会社経由で該当する繊維メーカに対して支払われ、また繊維製品の売れた繊維メーカは、サービス会社に対して仲介手数料の支払が行われる（Ｓ１１）。
生活者ファッションＤＢ１５に登録された生活者ファッションデザインがファッションＤＢ６Ａに保存されて生活者情報端末３を介して一般に公開され、かつ該公開された生活者ファッションデザインが使用されたとき、繊維メーカが該生活者ファッションデザインを作成した生活者にデザイン使用料を支払う（Ｓ２０）。
第２の実施形態によれば、第１の実施形態で示したファッションＤＢ６に保存されている繊維メーカのファッションに満足するファッションが無いときには、生活者自身が希望する生活者ファッションデザインを作成し、これに基づいた繊維製品が得られる。これ以外に第１の実施形態と同様な作用効果が得られる。
以上述べた第２の実施形態では、生活者がファッションデザインを作成する上で参考となると思われるファッションデザインは、既存のデザインをインターネット１Ａを介して生活者情報端末３にダウンロードしてもよい。
第６図は、本発明の第３の実施形態に係る商品購入・商品開発支援方法が適用されるネットワークを用いた商品購入・商品開発支援装置が組込まれたネットワークシステムを示す模式図である。
ネットワークとしてのインターネット１Ａに対して、商品購入・商品開発支援サービスを提供するサービス提供者が扱う商品購入・商品開発支援装置としてのサービス提供サーバ２Ａが接続されている。このサービス提供サーバ２Ａは、コンピュータ等の一種の情報処理端末で構成されており、インターネット１Ａに対するサーバの機能を有している。
ここで、インターネット１Ａは有線であっても無線であってもよく、デジタル通信が行えればよい。また、公衆回線を含む場合もある。
インターネット１Ａには、サービス提供サーバ２Ａの他に、食品（商品）を購入する生活者の複数の情報端末（生活者情報端末）３Ａと、該食品の購入並びに該食品製品の開発に関与することを望む食品メーカの複数の情報端末（食品メーカ情報端末）４Ａが接続されている。
各生活者情報端末３Ａ及び食品メーカ情報端末４Ａは、インターネット１Ａを介してサービス提供サーバ２Ａのホームページに自由にアクセスできる閲覧ソフトであるブラウザが組込まれている。また、各生活者情報端末３Ａ及び食品メーカ情報端末４Ａは、電子メールの送受信機能を有している。
第７図は、サービス提供サーバ２Ａの概略構成を示すブロック図であり、これは食品を購入する生活者及び該食品の購入並びに該食品の開発に関与することを望む食品メーカに対してネットワークを介してサービス提供サーバが各種情報を提供することにより、各種支援を行う商品購入・商品開発支援装置である。以下これについて詳細に説明する。
サービス提供サーバ２Ａは、生活者情報データベース（生活者情報ＤＢ）２２と、献立データベース（献立ＤＢ）２３と、レシピデータベース（レシピＤＢ）２４と、分析データベース（分析ＤＢ）３１と、食品データベース（食品ＤＢ）２５と、食生活調査結果入力手段２１と、分析処理手段３０と、献立作成手段２９とを備えている。
食生活調査結果入力手段２１はサービス提供サーバ２Ａを保有するサービス業者が契約する栄養管理アドバイザ（栄養管理師）が生活者個人の健康状態を含む食生活を調査した内容、例えば高血圧ぎみ、肥満ぎみ、糖尿病等の情報を、生活者情報ＤＢ２２に保存するためのものである。この場合の保存は、サービス提供サーバ２Ａにより生活者情報端末３Ａに対して促される。
分析処理手段３０は生活者情報ＤＢ２２に保存されている内容を分析して生活者のニーズにあった食品を製造・開発するための食品製造・開発情報を作成するものである。
分析ＤＢ５１は分析処理手段３０により得られる食品製造・開発情報を保存するものであって、該保存された食品製造・開発情報を前記食品メーカ情報端末に送信可能なものである。
食品ＤＢ２５は食品メーカ情報端末４Ａからの既存の食品リスト並びに分析ＤＢ５１に保存されている食品製造・開発情報に基づき新規に開発された新規の食品リストを保存するものである。このこの場合の保存は、サービス提供サーバ２Ａにより食品メーカ情報端末４Ａに対して促される。
献立ＤＢ２３はあらゆる献立を保存したものである。レシピＤＢ２４は献立毎のレシピ（調理方法）を登録したものである。
献立作成手段２９は、生活者情報ＤＢ２２と、献立ＤＢ２３と、レシピＤＢ２４と、食品ＤＢ２５に基づいて検索し生活者個人毎の献立並びにこの献立に必要な食品及び該食品のレシピを生活者情報端末３Ａに与えるものである。
第８図は、このようなネットワークシステムに組込まれたサービス提供サーバ２Ａが生活者及び食品メーカに対して商品購入・商品開発に関する各種支援の手順を示すシーケンス図である。
まず、サービス提供サーバ２Ａを保有するサービス業者が契約する栄養管理アドバイザが生活者個人の健康状態を含む食生活を調査した内容を、生活者情報ＤＢ２２に保存する（Ｓ２２）。
生活者情報ＤＢ２２に保存されている内容を分析処理手段３０は分析して生活者のニーズにあった食品を製造・開発するための食品製造・開発情報を得る（Ｓ２３）。
食品メーカ情報端末４Ａからの既存の食品リスト並びに分析ＤＢ５１に保存されている食品製造・開発情報に基づき新規に開発された新規の食品リストを、サービス提供サーバ２Ａに有する食品ＤＢ２５に保存する（Ｓ２４）。
献立作成手段２９は、生活者情報ＤＢ２２と、献立ＤＢ２３と、レシピＤＢ２４と、食品ＤＢ２５に基づいて検索し、生活者個人毎の献立２６と共にこの献立２６に必要な食品２８及び該食品２８のレシピ２７を生活者の情報端末（３Ａ）に送信する（Ｓ２５）。
最後に、食品メーカ情報端末４Ａを保有している食品メーカは、サービス提供サーバ２Ａを保有しているサービス会社に対して情報提供料の支払を行う（Ｓ２６）。
このようにして、サービス提供サーバ２Ａは、生活者情報端末３Ａを保有している生活者に対しては、生活者の食生活に関する健康状態を含む調査である生活者情報ＤＢ２２の内容に応じた献立情報及びこれのレシピ情報並びにこの献立に使用する食品情報が生活者情報端末３Ａに与えられる。この場合、健康でない生活者に対しては食生活から見て健康状態になるような献立等が与えられる。例えば、中性脂肪の多い生活者に対しては、中性脂肪が少ない食品の献立等が短時間にして提供され、また健康な生活者に対しては健康維持できるようなバランスの取れた食品の献立等が短時間にして提供されるので、生活者の健康維持管理を行う上で極めて便利である。また、サービス提供サーバ２Ａは、食品メーカ情報端末に４Ａに対しては、生活者情報ＤＢ２２の内容に基づいたニーズ分析が行われ、この分析結果が与えられることから、食品メーカが新食品を開発上での参考となり、さらには生活者のニーズに合った食品を製造できることから、無駄な食品の製造開発をできる限り少なくできる。
第９図は、サービス会社が食品の安全性を保証して、生活者の求める食品を求める量だけ求める指定場所へ必要な時に届けることでクイックレスポンスが向上する手段を説明するための図である。つまり、サービス会社のサービス提供サーバ２Ｂが前述の第３の実施形態のように作成した献立情報２６、レシピ情報２７、食品情報２８からなる食事情報を生活者の所有する生活者情報端末３Ａにダウンロードして（Ｓ３０）、生活者がサービス会社のアドバイスを採用するときは、生活者は食品情報２８を基にした食品注文を行う（Ｓ３１）。
すると、サービス提供サーバ２Ｂに有する注文処理手段３６は、注文伝票を作成して契約生産者や生産企業３１に注文して、地域配送センター３２へ出荷を指示して、地域配送センター３２は生活者の指定場所に必要食品３３を届ける。
第１０図は、調理業者例えば外食産業業者や旅館・ホテルでの食事の個人メニュー対応の手段を説明している。つまり、サービス会社と契約する外食産業３４やホテル・旅館３５の食事メニューに、例えば前述の第３の実施形態のように献立情報２６、レシピ情報２７、食品情報２８からなる食事情報を作成した生活者個人の希望する献立を取り入れるため、サービス会社が作成した個人の食事の献立情報を生活者が利用を希望する外食産業３４やホテル・旅館３５に注文伝票を送信しておき（Ｓ３２）、利用を希望する日時に指定の外食産業３４やホテル・旅館３５で指定の内容の食事をすることができるようにしたものである。
第１１図は、第９図及び第１０図のようなサービス提供サーバ２Ａが生活者及び地域配送センター３２並びに契約生産者・企業３１に対して商品購入・商品開発に関する各種支援の手順を示すシーケンス図である。生活者は、サービス会社が作成して提供した献立表を基に、サービス会社が用意するホームページから食品を注文して（Ｓ３５）、サービス会社のサービス提供サーバ２Ａに有する注文処理手段３６は、注文受付処理をして、注文伝票を作成して（Ｓ３６）、インターネット１Ａから地域配送センター３２または契約生産者・企業３１に出荷を指示する（Ｓ３７）。
一方、生活者が外食産業業者やホテル・旅館３５を利用するときに（Ｓ３８）、サービス会社が用意するホームページすなわちサービス提供サーバ２Ａに有するホテル・旅館データベース（ホテル・旅館ＤＢ）３８及び、または外食産業データベース（外食ＤＢ）３７のから外食産業３４の店（外食店）やホテル・旅館３５を検索して、希望する外食店やホテル・旅館３５に自分の献立を送る（Ｓ３９）。
外食店やホテル・旅館３５はサービス会社が用意するデータベースに、自社の情報を掲載して、サービス会社から利用者の斡旋を受ける。外食店やホテル・旅館３５はサービス会社に情報掲載料を支払う（Ｓ４０）。
第１２図は、本発明の第４の実施形態に係る商品購入・商品開発支援方法が適用されるネットワークを用いた商品購入・商品開発支援装置が組込まれたネットワークシステムを示す模式図である。
ネットワークとしてのインターネット１Ｂに対して、商品購入・商品開発支援サービスを提供するサービス提供者が扱う商品購入・商品開発支援装置としてのサービス提供サーバ２Ｂが接続されている。このサービス提供サーバ２Ｂは、コンピュータ等の一種の情報処理端末で構成されており、インターネット１Ｂに対するサーバの機能を有している。
ここで、インターネット１Ｂは有線であっても無線であってもよく、デジタル通信が行えればよい。また、公衆回線を含む場合もある。
インターネット１Ｂには、サービス提供サーバ２Ｂの他に、インテリア製品を購入する生活者の複数の情報端末（生活者情報端末）３Ｂと、該インテリア製品の購入並びに該インテリア製品の開発に関与することを望むインテリア製品メーカの複数の情報端末（インテリアメーカ情報端末）４Ｂが接続されている。
各生活者情報端末３Ｂ及びインテリアメーカ情報端末４Ｂは、インターネット１Ｂを介してサービス提供サーバ２Ｂのホームページに自由にアクセスできる閲覧ソフトであるブラウザが組込まれている。また、各生活者情報端末３Ｂ及びインテリアメーカ情報端末４Ｂは、電子メールの送受信機能を有している。
第１３図は、このようなネットワークシステムに組込まれたサービス提供サーバ２Ｂが生活者及びインテリアメーカに対して商品購入・商品開発に関する各種支援の手順を示すシーケンス図である。
ここで、サービス提供サーバ２Ｂについて説明する。サービス提供サーバ２Ｂは、商品検索手段４０と、個人商品データベース（個人商品ＤＢ）４１と、商品データベース（商品ＤＢ）４２と、住居情報作成手段４３と、住居情報データベース（住居情報ＤＢ）４４と、住居情報検索・登録手段４５と、個人住居情報データベース（個人住居情報ＤＢ）４６と、画像処理手段４７を備えている。
商品ＤＢ４２はあらゆるインテリア関連企業情報端末４Ｂからの各インテリア関連商品メーカの商品情報例えば照明器具の情報を保存するものである。個人商品ＤＢ４１は生活者情報端末３Ｂからインテリア関連商品の検索のための検索条件例えば洋室用、和室用かを入力したとき、商品ＤＢ４２から該検索条件に合った商品例えば照明器具を選定し、該選定した商品情報を保存するものである。
住居情報作成手段４３は、一般的な住宅の間取りをイメージ情報として作成するものである。住居情報ＤＢ４４は住居情報作成手段４３で作成した一般的な住宅の間取りのイメージ情報を保存するものである。
住居情報検索・登録手段４５は、生活者情報端末３Ｂから個人住居情報例えば住宅の間取り、窓の数、部屋の大きさ、壁の色等の情報が入力されると、住居情報ＤＢ４４に保存されている一般的な住宅の間取りのイメージ情報を検索して該個人住居情報をイメージ情報を作る。個人住居情報ＤＢ４６は住居情報検索・登録手段４５によって作られた個人住居情報（イメージ情報）を保存するものである。
画像処理手段４７は、商品ＤＢ４２に保存されているイメージ情報４２ａと、個人商品ＤＢ４１のイメージ情報４１ａと、個人住居情報ＤＢ４６に保存されたイメージ情報４６ａとを合成して生活者模擬使用画像情報４７ａを得るものである。
次に、このように構成されたシステムにおける動作について説明する。始めに、インテリア関連商品メーカの情報端末４Ｂからの各インテリア関連商品メーカの商品情報を商品ＤＢ４２に保存する（Ｓ４１）。
生活者情報端末３Ｂからインテリア関連商品の検索のための検索条件が入力されたとき（Ｓ４２）、商品検索手段４０は商品ＤＢ４２から該検索条件に合った商品を選定し（Ｓ４３）、該選定した商品情報を個人商品ＤＢ４１に保存する（Ｓ４４）。
次に、住居情報作成手段４３は一般的な住宅の間取りをイメージ情報として作成し、これを住居情報ＤＢ４４に保存する（Ｓ４５）。生活者情報端末３Ｂから個人住居情報が入力されると（Ｓ４６）、住居情報検索・登録手段４５は、住居情報ＤＢ４４に保存されている一般的な住宅の間取りのイメージ情報を検索して該個人住居情報をイメージ情報を作り、これを個人住居情報ＤＢ４６に保存する（Ｓ４７）。
最後に、画像処理手段４７は、個人商品ＤＢ４１に生活者毎に保存されているイメージ情報４１ａと、個人住居情報ＤＢ４６に生活者毎に保存されているイメージ情報４６ａとを合成して生活者模擬使用画像情報４７ａを得ることができ、該生活者模擬使用画像情報４７ａは生活者がインテリア商品の購入前に購入商品のイメージ確認を、確認する際に、サービス会社が用意するホームページから依頼すると、サービス会社は商品ＤＢ、個人商品ＤＢ、個人住居情報ＤＢを基に画像処理を行い、生活者情報端末３Ｂに出力できる（Ｓ４８）。
この結果、生活者が生活者情報端末３Ｂの生活者模擬使用画像情報４７ａを視認した上で、インテリア製品例えば照明器具を購入するには、生活者情報端末３Ｂから注文処理の手続きを行う（Ｓ４９）。すると、サービス提供サーバ２Ｂは、商品の注文を取り次ぎ、インターネット１Ｂを介して図示しない地域配送センターまたは生活関連企業へ出荷を指示されて、商品が生活者宅に配送される。
この場合、インテリア商品が売れるか、売れないかに関係なく、インテリアメーカからサービス提供サーバ２Ｂを保有しているサービス会社に対して、商品情報掲載料の支払が行われ（Ｓ５０）、またインテリア商品が売れた場合には、インテリアメーカからサービス提供サーバ２Ｂを保有しているサービス会社に対して、仲介手数料の支払が行われる（Ｓ５１）。
以上述べた第４の実施形態によれば、サービス提供サーバ２Ｂから生活者情報端末３Ｂに対して生活者模擬使用画像情報４７ａが与えられるので、生活者がインテリア商品を購入前に自宅に居ながら、インテリア商品の購入の検討ができ、しかもインテリア商品を購入する段階でもインターネット１Ｂを介してインテリアメーカ又は配送センターに対して商品出荷の指示ができることから、生活者の要求に対してのクイックレスポンスが向上する。一方、サービス提供サーバ２Ｂからインテリアメーカ情報端末４Ｂに対して生活者からのニーズ情報が提供されるので、インテリアメーカの商品開発に役立つ。
産業上の利用可能性
本発明に係る商品購入・商品開発支援方法及び商品購入・商品開発支援装置は、生活者［メーカ例えば繊維メーカ、食品メーカ、インテリア関連商品メーカが作った商品を購入（消費）して生活している人］が、商品を購入する際の支援を行い、またメーカが商品を開発する際に支援を行うのに適している。
【図面の簡単な説明】
第１図は、本発明の第１の実施形態に係る商品購入・商品開発支援方法が適用されるネットワークを用いた商品購入・商品開発支援装置が組込まれたネットワークシステムを示す模式図であり、第２図は、第１図のサービス提供サーバの主たる構成を説明するためのブロック図であり、第３図は、第１図のサービス提供サーバが生活者及び繊維メーカに対して商品購入・商品開発に関する各種支援の手順を示すシーケンス図であり、第４図は、本発明の第２の実施形態に係る商品購入・商品開発支援方法が適用されるネットワークを用いた商品購入・商品開発支援装置に組込まれるサービス提供サーバの主たる構成を説明するためのブロック図であり、第５図は、本発明の第２の実施形態に係るサービス提供サーバが生活者及び繊維メーカに対して商品購入・商品開発に関する各種支援の手順を示すシーケンス図であり、第６図は、本発明の第３の実施形態に係る商品購入・商品開発支援方法が適用されるネットワークを用いた商品購入・商品開発支援装置が組込まれたネットワークシステムを示す模式図であり、第７図は、第６図のサービス提供サーバの主たる構成を説明するためのブロック図であり、第８図は、本発明の第３の実施形態に係るサービス提供サーバが生活者及び食品メーカに対して商品購入・商品開発に関する各種支援の手順を示すシーケンス図であり、第９図は、第６図のサービス提供サーバの異なる例の主たる構成を説明するためのブロック図であり、第１０図は、第６図のサービス提供サーバの更に異なる例の主たる構成を説明するためのブロック図であり、第１１図は、本発明の第３の実施形態の変形例に係るサービス提供サーバが生活者及び食品メーカに対して商品購入・商品開発に関する各種支援の手順を示すシーケンス図であり、第１２図は、本発明の第４の実施形態に係る商品購入・商品開発支援方法が適用されるネットワークを用いた商品購入・商品開発支援装置が組込まれたネットワークシステムを示す模式図であり、第１３図は、本発明の第４の実施形態に係るサービス提供サーバが生活者及びインテリアメーカに対して商品購入・商品開発に関する各種支援の手順を示すシーケンス図である。
【図１】
2002027577.tif 000003
【図２】
2002027577.tif 000004
【図３】
2002027577.tif 000005
【図４】
2002027577.tif 000006
【図５】
2002027577.tif 000007
【図６】
2002027577.tif 000008
【図７】
2002027577.tif 000009
【図８】
2002027577.tif 000010
【図９】
2002027577.tif 000011
【図１０】
2002027577.tif 000012
【図１１】
2002027577.tif 000013
【図１２】
2002027577.tif 000014
【図１３】
2002027577.tif 000015
【国際調査報告】
2002027577.tif 000016
2002027577.tif 000017
2002027577.tif 000018
2002027577.tif 000019
2002027577.tif 000020
2002027577.tif 000021